(57)【要約】【課題】  手間なく気軽に使用でき、漏洩を防止した部位のみを確実に細かく裁断することが可能なハンドシュレッダを提供する。【解決手段】  平面視が長方形状で、所要の厚みと長さとを有するシュレッダ本体１ａのヘッド部２の先端部もしくは底部に、前記シュレッダ本体１ａの長軸方向に沿い並列するように複数の刃４，４・・・を配置固定してハンドシュレッダ１とし、当該ハンドシュレッダ１の把手部３を持って、並列に配置された刃４，４・・・・を、情報が記載された部位に押し当てながら当該部位を裁断することによって情報の漏洩を防止する。【選択図】      図１
2008173172.tif 000002
【特許請求の範囲】
【請求項１】
平面視長方形状のシュレッダ本体の先端部又は底部に並列した複数の刃を有すること
を特徴とするハンドシュレッダ。
【請求項２】
前記シュレッダ本体は、
その一部に把手部が形成されていること
を特徴とする請求項１に記載のハンドシュレッダ。
【請求項３】
前記複数の刃は、
前記シュレッダ本体の長軸方向沿いに並列していること
を特徴とする請求項１又は２に記載のハンドシュレッダ。
【請求項４】
前記把手部は、
前記シュレッダ本体に折り畳み可能であること
を特徴とする請求項２に記載のハンドシュレッダ。
【請求項５】
前記把手部は、
アーム状であること
を特徴とする請求項２に記載のハンドシュレッダ。
【請求項６】
前記複数の刃は、
カートリッジ式で、前記シュレッダ本体に着脱自在であること
を特徴とする請求項１〜５のいずれかに記載のハンドシュレッダ。
【請求項７】
前記複数の刃は、
それぞれの刃先のみが露出するよう、前記シュレッダ本体に埋め込まれていること
を特徴とする請求項１〜５のいずれかに記載のハンドシュレッダ。
【請求項８】
前記複数の刃は、
刃先を除いて一体化されていること
を特徴とする請求項１〜５のいずれかに記載のハンドシュレッダ。
【請求項９】
前記複数の刃は、
その刃先が、不使用時には弾性体中に埋没し、裁断に際し、目的物に押し当てられることにより弾性体から突出して、目的物を裁断すること
を特徴とする請求項１〜８のいずれかに記載のハンドシュレッダ。
【発明の詳細な説明】
【技術分野】
【０００１】
この発明は、秘匿すべき情報が記載された書類等を細かく裁断し、営業上の、あるいは個人のプライバシーなどに関する情報の漏洩を、効率的に防止することのできるハンドシュレッダに関するものである。
【背景技術】
【０００２】
企業における秘密漏洩対策で、第三者の目に触れさせたくない書類は、大型のシュレッダが専ら利用され、書類を可能な限り細かく裁断し、廃棄する手段が常用されている。
一方、家庭においては、送られてくるダイレクトメールなど大型の書類は、手で引き裂いて廃棄するか、あるいは、手動で刃を回転させて裁断する小型のシュレッダを利用して廃棄するようにしているが、家庭で使用される電動式のシュレッダも、使用頻度との関係で小型であることが求められている。
【０００３】
オフィス用や家庭用を問わず、シュレッダは回転刃によって裁断するので、例えば、ダイレクトメールの宛名部分のみを裁断したい場合や、ステープラー針等が付着している紙などの場合は、シュレッダで裁断するには適さない。
【０００４】
そこで、特開平１０−３３８４６号公報（特許文献１）には、堅くて手軽に持てる２枚の板を向かい合わせ、その内側に３個以上の刃先と、紙を折ったときにできる「たるみ」等を押さえるための凸部と、刃先の受口の穴を設けることで、１〜２枚の不要書類を、手軽に処分することができるハンドシュレッダが開示されていている。
特に、図８においては、裁断しようとする紙をこのハンドシュレッダに挟み込み、紙もしくはハンドシュレッダを刃先方向に動かすことで紙を裁断でき、裁断箇所をコントロールすることができると記載されている。
【０００５】
さらに、実用新案登録第３０６４０１２号公報（特許文献２）には、傾斜した薄い板状の刃を、押しボタン下面に本体の長手方向に対し、横方向に数列設け、その押しボタンの両端に圧縮コイルバネを設けて、上半本体に内接して、押しボタン押さえ板で留め、押しボタンが上下作動できるように構成し、下半本体に数列の刃逃げ細穴をもった紙受け板とを具備したハンドシュレッダが開示されている。
すなわち、特許文献２に記載のハンドシュレッダにおいては、紙をハンドシュレッダに挟み込み、紙もしくはハンドシュレッダを動かすことで紙を裁断する、という基本構造は特許文献１に記載の発明とほぼ同様であるが、刃は押しボタンによって上下動するので、紙の向きを自由に変更でき、紙の長手方向からでも、短手方向からでも裁断できる、というものである。
【０００６】
また、鋏を、交互に重なり合った複数の上下の刃を持つ機構とすることで、複数の切れ目を同時に入れられるようにするとともに、紙類を部分的に裁断することができ、手で破いたりするより安定した形状で細断することのできる技術が、特開平１０−３０５１７９号公報（特許文献３）に開示されている。
特許文献３に記載の発明によれば、使用方法は、通常の鋏とほぼ同様であるので容易に使用することができ、また、必要な箇所だけを裁断することが可能である。
【特許文献１】特開平１０−３３８４６号公報（特許請求の範囲、図１、図８）
【特許文献２】実用新案登録第３０６４０１２号公報（特許請求の範囲、図１）
【特許文献３】特開平１０−３０５１７９号公報（特許請求の範囲、図２）
【発明の開示】
【発明が解決しようとする課題】
【０００７】
オフィスや家庭に送られる配送物は、葉書や手紙は勿論のこと、宅配便などが存在する。
これら配送物の表書きは、近年の印刷技術の発達によって、例えば、宛名シールが直接又はビニール袋内に収納された状態で貼着され使用されている。
これら配送物を収納する包装体の形状も一定ではなく、包装体を直接シュレッダで裁断することが困難である場合も存在するので、宛名シールもしくはビニール袋を包装体から剥離して情報の漏洩を防止している。
しかしながら、宛名シールは、その裏面に接着剤が塗付されているので、包装体から完全に除去することはきわめて困難であるとともに、従来のシュレッダで裁断しようとすると、接着剤が刃に喰い込むため、裁断をしばしば中止しなければならない状態に至るという問題点を有している。
また、宛名シールが収納されたビニール袋は、剥離は可能であるが、シュレッダの刃にビニールが絡み、装置を損傷するおそれもある。
【０００８】
また、特許文献１や特許文献２に記載のシュレッダは、基本的な構造は単純であるが、使用するに際しては、下準備として紙をシュレッダ内に挟み込まなければならない手間を要し、効率性に欠ける。
また、特許文献３に記載の鋏は、一般の鋏と同じ原理で裁断するので、使用方法は至って簡単であるが、例えば、紙の中央部のみを裁断したい場合に用いるには不便なものである。
【０００９】
さらに、特許文献１〜３に記載の技術によれば、薄い書類を裁断するには、安全に、かつ綺麗に裁断できるが、段ボール等の厚いものを裁断する場合には適さない。
【００１０】
この発明はかかる現状に鑑み、手間なく手軽に使用でき、紙の種類や形状、材質を選ばず、住所や氏名など漏洩を防止したい個人情報の記載箇所を、的確にかつ効率的に裁断することのできる、情報の漏洩対策にきわめて有効なハンドシュレッダを提供せんとするものである。
【課題を解決するための手段】
【００１１】
前記の目的を達成するため、この発明の請求項１にかかる発明は、
平面視長方形状のシュレッダ本体の先端部又は底部に並列した複数の刃を有すること
を特徴とするハンドシュレッダである。
【００１２】
また、この発明の請求項２にかかる発明は、
請求項１に記載のハンドシュレッダにおいて、
前記シュレッダ本体は、
その一部に把手部が形成されていること
を特徴とするものである。
【００１３】
また、この発明の請求項３にかかる発明は、
請求項１又は２に記載のハンドシュレッダにおいて、
前記複数の刃は、
前記シュレッダ本体の長軸方向沿いに並列していること
を特徴とするものである。
【００１４】
また、この発明の請求項４にかかる発明は、
請求項２に記載のハンドシュレッダにおいて、
前記把手部は、
前記シュレッダ本体に折り畳み可能であること
を特徴とするものである。
【００１５】
また、この発明の請求項５にかかる発明は、
請求項２に記載のハンドシュレッダにおいて、
前記把手部は、
アーム状であること
を特徴とするものである。
【００１６】
また、この発明の請求項６にかかる発明は、
請求項１〜５のいずれかに記載のハンドシュレッダにおいて、
前記複数の刃は、
カートリッジ式で、前記シュレッダ本体に着脱自在であること
を特徴とするものである。
【００１７】
また、この発明の請求項７にかかる発明は、
請求項１〜５のいずれかに記載のハンドシュレッダにおいて、
前記複数の刃は、
それぞれの刃先のみが露出するよう、前記シュレッダ本体に埋め込まれていること
を特徴とするものである。
【００１８】
また、この発明の請求項８にかかる発明は、
請求項１〜５のいずれかに記載のハンドシュレッダにおいて、
前記複数の刃は、
刃先を除いて一体化されていること
を特徴とするものである。
【００１９】
また、この発明の請求項９にかかる発明は、
請求項１〜８のいずれかに記載のハンドシュレッダにおいて、
前記複数の刃は、
その刃先が、不使用時には弾性体中に埋没し、裁断に際し、目的物に押し当てられることにより弾性体から突出して、目的物を裁断すること
を特徴とするものである。
【発明の効果】
【００２０】
この発明にかかるハンドシュレッダは、シュレッダ本体の先端部又は底部に並列した複数の刃を設ける、という極めて単純な構成であるので部品点数も少なく、安価に製造することが可能である。
また、カッターナイフや文具用鋏などとほぼ同じ大きさとすることが可能なため、置き場所や収納に困らず、手軽に使用することができる。
【００２１】
使用法はカッターナイフとほぼ同様で、特別な操作は不要であるが、あまり力をかけなくても確実に、かつ容易に細く裁断することができ、判読不能にしたい部分のみを効率的に細かく裁断することができる。
すなわち、部分的に裁断することができるので、容積が嵩んでしまう裁断後の細かい紙屑を、必要以上に発生させることがないなど実用性の高いものである。
【発明を実施するための最良の形態】
【００２２】
以下、この発明にかかるハンドシュレッダを、添付の図面を参照しながら、実施例に基づいて詳細に説明するが、この発明は図示した実施例に限定されるものではなく、この発明の要旨を変更しない範囲内において種々変更を加えることが可能なものである。
【実施例１】
【００２３】
図１は、この発明にかかるハンドシュレッダの一実施例を示すものであって、ハンドシュレッダ１は、所要の厚みと長さとを有するシュレッダ本体１ａのヘッド部２の下方所要部位に、複数の刃４，４・・・を、シュレッダ本体１ａの長軸方向に沿い、所要の間隔を存して、前記長軸と直交する同一線上に並行に配置したもので、このヘッド部２以外の部位を把手部３としたものである。
前記刃４は、不使用時における不測の事故を防止する観点からは、鋭利な刃先の突出長さを１．０ｍｍ以下に抑えることが好ましい。
また、隣接する刃４と４との間隔は、狭ければ狭いほど細かく裁断することが可能であるが、１．０〜５．０ｍｍ程度が好ましい。
【００２４】
前記シュレッダ本体１ａは、図１で明らかなように、長さ約１４０ｍｍ、厚さ約１５ｍｍの厚手の板状体を、側面視が緩やかな円弧状を有するとともに、ヘッド部２も側面視が丸くなるように形成し、かつ底部をヘッド部２から尾部に向かって幅が狭くなるようにアーム状として、把手部３としたものである。
このシュレッダ本体１ａの形状は、刃４の刃先の向きを引き手方向にしてあるので、引き切りし易い実用的な設計にしてあるが、要は、ヘッド部２に複数の刃４．４・・・・が並列に設けられていれば、その形状については特段の制限はない。
また、把手部３の形状は、図示はしないが、グリップ部を設けたり、棒状、スクエア状など、機能性やデザイン性などに応じて種々変更可能である。
【００２５】
また、前記刃４は、その間隔によって裁断幅に、その突出長さによって切り込みの深さに影響を与えるので、使用目的に応じて、例えば、段ボール等の厚みのあるものを裁断する場合は、刃４が高く露出しているものを用いればよく、さらに、裁断幅をより細くしたい場合は、刃４と刃４の間隔を狭くすればよい。また、硬い紙を裁断する場合は、刃厚があり丈夫な刃を用いることが望ましい。
【００２６】
かかる構成をとることにより、図示はしないが、カッターナイフと同じ要領で紙を切込むと、刃４，４・・・の間隔の裁断幅で、６条の切り込みを入れることができる。
したがって、例えば、ダイレクトメールの宛名部や、宛名シールのついた段ボールなどを廃棄するときは、宛名部分のみをハンドシュレッダ１で裁断して廃棄すれば、嵩張る細かい裁断後の紙屑の量を減らすことができ、さらに確実に個人情報を守ることができる。
また、紙だけではなく、ＯＨＰシートなどの樹脂製のものや、布に書かれたものでも裁断可能であることはいうまでもない。
【実施例２】
【００２７】
この発明の実施例２におけるハンドシュレッダ１１は、図２（Ａ）で明らかなように、シュレッダ本体１１ａを構成する把手部１３を、ヒンジ１４を解して刃１４方向に折り畳むことができるよう構成したものである。
したがって、不使用時に、把手部１３を図２（Ｂ）のように折り畳むことによって、刃１４の先端部（刃先）が把手部１３により覆われるため、未使用時の事故の発生を防止できる。
さらに、図２（Ｃ）に示すように、ヘッド部１２を、左右一対の分割体１２ａ，１２ｂとで構成するともに、分割体１２ａ，１２ｂ間に刃取替え用のカートリッジ１６を挟持するもので、前記左右一対の分割体１２ａ，１２ｂは、ビス１７で一体的に連結されるものである。
【００２８】
前記カートリッジ１６は、図３（Ａ）から明らかなように、複数のカートリッジ主体１６ａ，１６ａ・・・からなるもので、各カートリッジ主体１６ａには、刃１４を、その先端部（刃先）が突出可能な状態で保持するための凹状の保持部１６ｂが、それそれ形成されたものである。
このカートリッジ１６は、前記カートリッジ主体１６ａの複数を重ね合わせた状態で、左右一対の分割体１２ａ，１２ｂ間にビス１７で保持するものであるが、各カートリッジ主体１６ａを接着剤などで一体化していない場合には、損傷した刃のみを取り替えることができる。
なお、刃１４の刃先が、裁断するときに紙と鋭角になるような角度を有すれば、滑らかに裁断できるようになるので、保持部１６ｂは、カートリッジ主体１６ａに対して垂直に配置するよりも、図３（Ｂ）で明らかなように、少し角度を付け、刃先の一部のみを突出させるように形成することが好ましい。
【００２９】
この実施例２においては、刃１４の先端部（刃先）は、約１．０ｍｍ露出するようにしているが、目的に応じて変更することは当然可能である。
【００３０】
実際に裁断する際は、刃１４の間隔が狭いほど細い幅で裁断できるので、裁断幅を太くするときは、刃１４の間隔が広いカートリッジを用いればよい。
すなわち、各種裁断幅の異なるカートリッジをあらかじめ容易しておけば、目的に応じた幅で裁断することが可能である。また、刃先の突出量の異なるものを使用すれば、厚さのあるものでも裁断が可能となる。
【００３１】
カートリッジ１６をヘッド部１２への取付ける際は、図２（Ｃ）に示すように、ヘッド部１２の分割体１２ａと分割体１２ｂのそれぞれに設けた溝１２ｃ，１２ｃにカートリッジ１６を嵌めこみ、さらにネジ１７で螺合するものである。
したがって、カートリッジ１６の交換は、ネジ１７の着脱でカートリッジ主体毎に、あるいはカートリッジそのものを容易に交換することができ、刃１４が刃毀れをして切れ味が悪くなった時は、迅速に交換することが可能である。
さらに、ハンドシュレッダ１１を使用している最中でも、刃１４が動いたりすることもなく頑丈に固定できるので、安心して使用することができる。
【実施例３】
【００３２】
この発明の実施例３におけるハンドシュレッダ２１は、図４（Ａ）に示すように、把手部２３およびヘッド部２２は実施例２と同様であるが、カートリッジの形状が異なる。
すなわち、実施例３におけるカートリッジ２６は、図４（Ｂ）から明らかなように、板状のカートリッジ主体２６ａに６枚の刃２４，２４・・・・を、所要間隔を存して並行に配置固定して形成されたものである。
なお、この実施例においては、カートリッジ主体に対し、６枚の刃を定間隔で配置固定しているが、鋸歯状に形成した１枚の刃をカートリッジ主体に取付けて使用することもできるので、その構成には特段の限定はないものである。
【００３３】
このカートリッジ２６のヘッド部２２への取付けに関しては、特段の制限はなく、図示はしないが、ヘッド部２２内に、このカートリッジ２６を嵌め込めるような凹状の保持部を設けておくことができる。
また、カートリッジ２６の両端部に係合片を設けておき、この係合片をヘッド部２２の両端に係合させて取付けることも可能である。
【実施例４】
【００３４】
この発明の実施例４におけるハンドシュレッダ３１は、図５（Ａ）で明らかなように、ヘッド部３２と把手部３３とでシュレッダ主体３１ａを構成するとともに、前記ヘッド部３２の所要部位に複数の刃３４，３４・・・を並行に配置するに際し、突出する各刃３４の刃先を覆うカバー部材３５を設けたものである。
このカバー部材３５は、天然ゴムのような弾性体で構成したもので、ヘッド部３２に設けられたカバー部材３５を、葉書などの住所欄に押し付けると、その押圧力で各刃３４，３４・・・の刃先がカバー部材３５の表面から突出し、前記住所欄を所要の幅で均等に切り裂くものである。
【００３５】
この実施例４によれば、危険な刃３４の先端部が常時はカバー部材３５によって覆われているので、突出することが無いので、誤って怪我をする心配はほとんどなく、さらに、着脱自在のキャップ類と違い、一体式であるので紛失するおそれもない。
実際に使用するときは、裁断しようとする紙に向かって押圧すればよいだけなので非常に使い易い。
【００３６】
なお、このカバー部材３５の材質は、弾性体であれば特段の制限はないが、天然ゴム、イソプレンゴム、スチレンブタジエンゴム、ブタジエンゴム、クロロプレンゴム、ニトリルゴム、ブチルゴム、エチレンプロピレンゴム、ウレタンゴム、シリコンゴム、アクリルゴム、クロルスルホン化ポリエチレンゴム、フッ素ゴム、水素化ニトリルゴム、エピクロルヒドリンゴム、多硫化ゴム等のエラストマーであることが好ましい。
また、カバー部材３５と紙とは互いに接するので、紙との摩擦係数が大きい材質だと、押圧しながらの裁断が難くなる。
かかる場合は、表面を滑らかにする表面処理を施しておくことが好ましい。
【産業上の利用可能性】
【００３７】
この発明のハンドシュレッダは、封筒やダンボールなどに記載されている宛名などの個人情報を手軽に、かつ部分的に裁断することができるハンドシュレッダを提供可能とするものであるので、事務器具関連産業において利用することが可能である。
【図面の簡単な説明】
【００３８】
【図１】この発明にかかるハンドシュレッダの一実施例を示す斜視図である。
【図２】この発明にかかるハンドシュレッダの他の例を示す説明図であって、（Ａ）は使用時における側面図を、（Ｂ）は折り畳んだ状態の側面図を、（Ｃ）は要部の分解図を、それぞれ示すものである。
【図３】図２におけるカートリッジを示す説明図であって、（Ａ）は全体を表す斜視図を、（Ｂ）は要部の斜視図を示した図である。
【図４】この発明にかかるハンドシュレッダのさらに他の例を示す図であって、（Ａ）は使用時における側面図を、（Ｂ）はこの実施例におけるカートリッジ本体の斜視図を、それぞれ示した図である。
【図５】この発明にかかるハンドシュレッダのさらに他の例を示す図であって、（Ａ）は使用時における斜視図を、（Ｂ）はカバー周辺の拡大図を、それぞれ示した図である。
【符号の説明】
【００３９】
１，１１，２１，３１    ハンドシュレッダ
２，１２，２２，３２           ヘッド部
３，１３，２３，３３    把手部
４，１４，２４，３４    刃
【図１】
2008173172.tif 000003
【図２】
2008173172.tif 000004
【図３】
2008173172.tif 000005
【図４】
2008173172.tif 000006
【図５】
2008173172.tif 000007